(57)【特許請求の範囲】
【請求項１】
基地局装置と端末装置を有する無線通信システムであって、
前記基地局装置は、
無線通信に使用するための免許が必要な第１の周波数帯域に関する第１の制御情報と、無線通信に使用するための免許が不要な第２の周波数帯域に関する第２の制御情報を配置して制御チャネル信号を生成する生成部と、
前記生成部によって生成された制御チャネル信号を前記端末装置へ送信する送信部と
を有し、
前記第１の制御情報には、前記第１の周波数帯域における上り又は下り通信を制御する情報が含まれ、
前記第２の制御情報には、前記第２の周波数帯域における下り回線のデータ割り当てを示す下り回線制御情報と、前記第２の周波数帯域における上り回線のデータ送信の許可を示す上り回線制御情報とが含まれ、
前記生成部は、
前記第１の周波数帯域における上り又は下り通信を制御する情報を前記第１の周波数帯域の制御チャネル領域内に配置し、前記下り回線制御情報を前記第２の周波数帯域の制御チャネル領域内に配置し、前記上り回線制御情報を前記第１の周波数帯域の制御チャネル領域内に配置し、さらに前記第１の周波数帯域において、前記第１の周波数帯域における上り又は下り通信を制御する情報と前記上り回線制御情報は、互いに異なる領域に配置して制御チャネルを生成する
ことを特徴とする無線通信システム。
【請求項２】
前記基地局装置は、
前記第２の周波数帯域が空いているか否かを判断する判断部をさらに有し、
前記生成部は、
前記判断部によって前記第２の周波数帯域が空いていると判断された場合に、前記制御チャネル信号を生成し、前記判断部によって前記第２の周波数帯域が空いていないと判断された場合に、前記第１の制御情報を用いて制御チャネル信号を生成する
ことを特徴とする請求項１記載の無線通信システム。
【請求項３】
前記生成部は、
前記判断部によって前記第２の周波数帯域が空いていないと判断された場合に、前記第２の制御情報を保持することを特徴とする請求項２記載の無線通信システム。
【請求項４】
無線通信に使用するための免許が必要な第１の周波数帯域に関する第１の制御情報と、無線通信に使用するための免許が不要な第２の周波数帯域に関する第２の制御情報を配置して制御チャネル信号を生成する生成部と、
前記生成部によって生成された制御チャネル信号を送信する送信部と
を有し、
前記第１の制御情報には、前記第１の周波数帯域における上り又は下り通信を制御する情報が含まれ、
前記第２の制御情報には、前記第２の周波数帯域における下り回線のデータ割り当てを示す下り回線制御情報と、前記第２の周波数帯域における上り回線のデータ送信の許可を示す上り回線制御情報とが含まれ、
前記生成部は、
前記第１の周波数帯域における上り又は下り通信を制御する情報を前記第１の周波数帯域の制御チャネル領域内に配置し、前記下り回線制御情報を前記第２の周波数帯域の制御チャネル領域内に配置し、前記上り回線制御情報を前記第１の周波数帯域の制御チャネル領域内に配置し、さらに前記第１の周波数帯域において、前記第１の周波数帯域における上り又は下り通信を制御する情報と前記上り回線制御情報は、互いに異なる領域に配置して制御チャネルを生成する
ことを特徴とする基地局装置。
【請求項５】
無線通信に使用するための免許が必要な第１の周波数帯域に関する第１の制御情報が前記第１の周波数帯域の領域に配置され、無線通信に使用するための免許が不要な第２の周波数帯域に関する第２の制御情報が前記第２の周波数帯域の領域に配置された制御チャネル信号を受信する受信部と、
前記受信部によって受信された制御チャネル信号を復号し、復号結果に基づいて、前記第１の周波数帯域及び前記第２の周波数帯域において受信されるデータを復号する復号部と
を有し、
前記第１の制御情報には、前記第１の周波数帯域における上り又は下り通信を制御する情報が含まれ、
前記第２の制御情報には、前記第２の周波数帯域における下り回線のデータ割り当てを示す下り回線制御情報と、前記第２の周波数帯域における上り回線のデータ送信の許可を示す上り回線制御情報とが含まれ、
前記受信部は、
前記第１の周波数帯域における上り又は下り通信を制御する情報が前記第１の周波数帯域の制御チャネル領域内に配置され、前記下り回線制御情報が前記第２の周波数帯域の制御チャネル領域内に配置され、前記上り回線制御情報が前記第１の周波数帯域の制御チャネル領域内に配置され、さらに前記第１の周波数帯域において、前記第１の周波数帯域における上り又は下り通信を制御する情報と前記上り回線制御情報とが、互いに異なる領域に配置された制御チャネル信号を受信する
ことを特徴とする端末装置。
【請求項６】
無線通信システムに属する基地局装置における送信方法であって、
無線通信に使用するための免許が必要な第１の周波数帯域に関する第１の制御情報と、無線通信に使用するための免許が不要な第２の周波数帯域に関する第２の制御情報を配置して制御チャネル信号を生成し、
生成された制御チャネル信号を送信する
処理を有し、
前記第１の制御情報には、前記第１の周波数帯域における上り又は下り通信を制御する情報が含まれ、
前記第２の制御情報には、前記第２の周波数帯域における下り回線のデータ割り当てを示す下り回線制御情報と、前記第２の周波数帯域における上り回線のデータ送信の許可を示す上り回線制御情報とが含まれ、
前記生成する処理は、
前記第１の周波数帯域における上り又は下り通信を制御する情報を前記第１の周波数帯域の制御チャネル領域内に配置し、前記下り回線制御情報を前記第２の周波数帯域の制御チャネル領域内に配置し、前記上り回線制御情報を前記第１の周波数帯域の制御チャネル領域内に配置し、さらに前記第１の周波数帯域において、前記第１の周波数帯域における上り又は下り通信を制御する情報と前記上り回線制御情報は、互いに異なる領域に配置して制御チャネルを生成する
ことを特徴とする送信方法。
【発明の詳細な説明】
【技術分野】
【０００１】
本発明は、無線通信システム、基地局装置、端末装置及び送信方法に関する。
【背景技術】
【０００２】
近年、例えばＬＴＥ（Long  Term  Evolution）を用いた無線通信システムでは、トラヒックが増加の一途をたどっているため、より多くのトラヒックを収容し通信品質を向上するための対策を講じることが望まれている。そこで、例えば無線ＬＡＮ（Local  Area  Network）などに用いられる免許が不要なアンライセンスバンド（Unlicensed  band：以下「Ｕバンド」という）において、ＬＴＥの技術を使用することが検討されている。【０００３】
具体的には、ＵバンドにおいてＬＴＥの技術を使用するＬＡＡ（Licensed  Assisted  Access）と呼ばれる技術がある。ＬＡＡとは、例えば携帯電話網などの無線通信システムで使用されている免許が必要なライセンスバンド（Licensed  band：以下「Ｌバンド」という）を補助的に用いてＵバンドでデータを送受信する技術である。【０００４】
ＬＡＡが採用される場合には、例えばＬバンドで制御データなどが送受信され、Ｕバンドでベストエフォート型のユーザデータなどが送受信されることが考えられている。そして、例えば基地局装置から端末装置へ制御データを送信する下り回線の制御チャネルとしては、３ＧＰＰによって規格化されたＥＰＤＣＣＨ（Enhanced  Physical  Downlink  Control  CHannel）などがある。ＥＰＤＣＣＨは、下り回線の全周波数帯域にわたるＰＤＣＣＨ（Physical  Downlink  Control  CHannel）とは異なり、ＰＤＳＣＨ（Physical  Downlink  Shared  CHannel）と同様に一部の周波数帯域を制御チャネルとして用いるものである。【０００５】
ところで、Ｌバンドは免許が必要な周波数帯域であるため、免許を取得した通信事業者等がＬバンドに属する特定の周波数帯域を専有し、他の無線通信システムにおける通信との干渉は発生しない。一方、Ｕバンドは免許が不要であり、例えば無線ＬＡＮや異なる事業者が運用するＬＡＡなどの他の無線通信システムによっても用いられるため、Ｕバンドを使用した無線通信が行われる場合には、他の無線通信システムにおける通信との間で干渉が発生し得る。そこで、ＬＡＡが採用される場合には、他の通信との干渉を防止する仕組みを導入することが好ましい。すなわち、例えばキャリアセンスのように、装置が無線通信を実施する際には、他の装置による無線通信が実施中であるか否かを確認するＬＢＴ（Listen  Before  Talk）を導入することが考えられる。ＬＢＴを導入する場合には、送信をする装置は、送信に使用する周波数帯域における受信エネルギーを検出し、他の装置による送信が実行中であるか否かを判定する。そして、他の装置による送信が実行中でなければ、この周波数帯域が用いられてデータの送信が実行される。これにより、同一の周波数帯域でデータを送信する装置間での通信の衝突による干渉を防止することが可能となる。
【先行技術文献】
【特許文献】
【０００６】
【特許文献１】特開２００６−１８６９９２号公報
【特許文献２】特表２０１４−５００６８５号公報
【特許文献３】特開２００２−１２４９１６号公報
【特許文献４】特表２００８−５０８７７４号公報
【非特許文献】
【０００７】
【非特許文献１】３ＧＰＰ  ＴＳ  ３６．２１１  Ｖ１２．３．０  ２０１４年９月
【発明の概要】
【発明が解決しようとする課題】
【０００８】
上述したように、Ｕバンドを用いた通信を行う場合には、他の無線通信システムにおける通信との干渉を防止するためにＬＢＴが実行されることが好ましい。そして、ＬＢＴが実行されると、その実行結果によって、実際にＵバンドでデータを送信するか否かが決定される。すなわち、ＬＢＴの結果、他の装置がデータを送信中でないことが確認されると、Ｕバンドによるデータの送信が実行されるが、他の装置がデータを送信中であれば、Ｕバンドによるデータの送信は延期される。したがって、ＬＢＴの実行結果が得られるまでは、実際にＵバンドでデータが送信されるか否かは決定されない。【０００９】
このため、例えば下り回線のデータの割り当てを示すＤＣＩ（Downlink  Control  Information）の制御チャネルへのマッピングに関して、基地局装置は、Ｌバンド及びＵバンドのＤＣＩをあらかじめ制御チャネルにマッピングしておくことが困難であるという問題がある。【００１０】
すなわち、Ｌバンドについては、スケジューリングによって下り回線のデータの割り当てがあらかじめ決定されているにも関わらず、Ｕバンドについては、ＬＢＴの実行結果が得られるまでは実際に下り回線にデータが割り当てられるか否かが決定されない。したがって、基地局装置が例えばＥＰＤＣＣＨなどの制御チャネルにＬバンド及びＵバンドのＤＣＩをあらかじめマッピングしておくと、Ｕバンドに関するＬＢＴの実行結果によっては、このＤＣＩの通りにデータが割り当てられないことがある。【００１１】
具体的には、例えばＬバンド及びＵバンドのＤＣＩがＥＰＤＣＣＨにあらかじめマッピングされた場合、ＬＢＴの実行結果によってＵバンドでのデータの送信が延期されると、Ｕバンドに対するデータの割り当てはなくなる。このため、あらかじめマッピングされたＤＣＩは適切ではなくなり、ＬバンドのみのＤＣＩがＥＰＤＣＣＨに再度マッピングされることになる。【００１２】
このように、ＬＢＴの実行結果が得られるまではＵバンドに対するデータの割り当ての有無が決定されないため、基地局装置は、制御チャネルに対してＤＣＩをあらかじめマッピングしておくことは困難である。そこで、ＬＢＴの実行結果が得られた後に、Ｌバンド及びＵバンドのＤＣＩを制御チャネルにマッピングすることも考えられる。しかしながら、この場合には、実際にデータが送信されるサブフレームまでの短時間にＬバンド及びＵバンドのＤＣＩのマッピングを完了させるために、ＤＣＩのマッピング処理を高速化する必要が生じる。結果として、ハードウェアの高性能化などが求められ、コストの増大を招いてしまう。【００１３】
開示の技術は、かかる点に鑑みてなされたものであって、免許が必要な周波数帯域及び免許が不要な周波数帯域を使用して通信を行う場合に制御情報を効率的に送信することができる無線通信システム、基地局装置、端末装置及び送信方法を提供することを目的とする。
【課題を解決するための手段】
【００１４】
本願が開示する無線通信システムは、１つの態様において、基地局装置と端末装置を有する無線通信システムであって、前記基地局装置は、無線通信に使用するための免許が必要な第１の周波数帯域に関する第１の制御情報と、無線通信に使用するための免許が不要な第２の周波数帯域に関する第２の制御情報を配置して制御チャネル信号を生成する生成部と、前記生成部によって生成された制御チャネル信号を前記端末装置へ送信する送信部とを有し、前記第１の制御情報には、前記第１の周波数帯域における上り又は下り通信を制御する情報が含まれ、前記第２の制御情報には、前記第２の周波数帯域における下り回線のデータ割り当てを示す下り回線制御情報と、前記第２の周波数帯域における上り回線のデータ送信の許可を示す上り回線制御情報とが含まれ、前記生成部は、前記第１の周波数帯域における上り又は下り通信を制御する情報を前記第１の周波数帯域の制御チャネル領域内に配置し、前記下り回線制御情報を前記第２の周波数帯域の制御チャネル領域内に配置し、前記上り回線制御情報を前記第１の周波数帯域の制御チャネル領域内に配置し、さらに前記第１の周波数帯域において、前記第１の周波数帯域における上り又は下り通信を制御する情報と前記上り回線制御情報は、互いに異なる領域に配置して制御チャネルを生成する。
【発明の効果】
【００１５】
本願が開示する無線通信システム、基地局装置、端末装置及び送信方法の１つの態様によれば、免許が必要な周波数帯域及び免許が不要な周波数帯域を使用して通信を行う場合に制御情報を効率的に送信することができるという効果を奏する。
【図面の簡単な説明】
【００１６】
【図１】図１は、実施の形態１に係る基地局装置の構成を示すブロック図である。
【図２】図２は、実施の形態１に係る端末装置の構成を示すブロック図である。
【図３】図３は、実施の形態１に係る送信処理を示すフロー図である。
【図４】図４は、実施の形態１に係るサブフレーム構成の具体例を示す図である。
【図５】図５は、実施の形態２に係るサブフレーム構成の具体例を示す図である。
【図６】図６は、実施の形態３に係るサブフレーム構成の具体例を示す図である。
【図７】図７は、実施の形態４に係るサブフレーム構成の具体例を示す図である。
【図８】図８は、実施の形態５に係るサブフレーム構成の具体例を示す図である。
【図９】図９は、基地局装置のハードウェア構成例を示すブロック図である。
【発明を実施するための形態】
【００１７】
以下、本願が開示する無線通信システム、基地局装置、端末装置及び送信方法の実施の形態について、図面を参照して詳細に説明する。なお、この実施の形態により本発明が限定されるものではない。
【００１８】
（実施の形態１）
図１は、実施の形態１に係る基地局装置１００の構成を示すブロック図である。図１に示す基地局装置１００は、Ｌバンド受信部１０１、Ｕバンド受信部１０２、ＣＰ（Cyclic  Prefix：サイクリックプレフィックス）除去部１０３、１０４、ＦＦＴ（Fast  Fourier  Transform：高速フーリエ変換）部１０５、１０６、チャネル分離部１０７、復号部１０８及びＵバンド空き判断部１０９を有する。これらの処理部は、基地局装置１００の受信側の処理部である。また、基地局装置１００は、Ｕバンド用マッピング部１１０、Ｌバンド用マッピング部１１１、ＥＰＤＣＣＨ生成部１１２、ＩＦＦＴ（Inverse  Fast  Fourier  Transform：逆高速フーリエ変換）部１１３、１１４、ＣＰ付加部１１５、１１６、Ｌバンド送信部１１７及びＵバンド送信部１１８を有する。これらの処理部は、基地局装置１００の送信側の処理部である。
【００１９】
Ｌバンド受信部１０１は、Ｌバンドの信号を受信する。すなわち、Ｌバンド受信部１０１は、例えば２ＧＨｚ帯などの免許が必要な周波数帯域の信号を受信する。
【００２０】
Ｕバンド受信部１０２は、Ｕバンドの信号を受信する。すなわち、Ｕバンド受信部１０２は、例えば５ＧＨｚ帯などの免許が不要な周波数帯域の信号を受信する。
【００２１】
ＣＰ除去部１０３、１０４は、それぞれＬバンド及びＵバンドの受信信号からＯＦＤＭ（Orthogonal  Frequency  Division  Multiplexing：直交周波数分割多重）シンボル間に付加されたＣＰを除去する。すなわち、ＯＦＤＭ方式の無線通信が行われる場合には、無線信号を構成するＯＦＤＭシンボル間にシンボル間干渉を防止するためのＣＰが付加されるため、ＣＰ除去部１０３、１０４は、このＣＰを除去する。なお、本実施の形態においては、ＯＦＤＭ方式の無線通信が行われる場合について説明するが、本発明は、ＯＦＤＭ方式以外の無線通信が行われる場合にも適用可能である。したがって、ＯＦＤＭ方式以外の無線通信が行われる場合には、ＣＰ除去部１０３、１０４は省略可能である。
【００２２】
ＦＦＴ部１０５、１０６は、それぞれＬバンド及びＵバンドの受信信号を高速フーリエ変換し、互いに直交する周波数を有する複数のサブキャリアの信号を取得する。すなわち、ＦＦＴ部１０５、１０６は、時間領域の受信信号を周波数領域の信号へ変換することにより、複数のサブキャリアの信号を取得する。なお、ＦＦＴ部１０５、１０６も上記のＣＰ除去部１０３、１０４と同様に、ＯＦＤＭ方式の無線通信が行われる場合の処理を実行する処理部であるため、ＯＦＤＭ方式以外の無線通信が行われる場合には省略可能である。
【００２３】
チャネル分離部１０７は、Ｌバンド及びＵバンドの複数のサブキャリアの信号をチャネルごとの信号に分離する。すなわち、Ｌバンド及びＵバンドの受信信号においては複数のチャネルの信号が周波数多重及び時間多重されているため、チャネル分離部１０７は、それぞれのバンドの受信信号を例えば端末装置ごとのデータチャネルや制御チャネルの信号に分離する。
【００２４】
復号部１０８は、チャネル分離部１０７によって得られた各チャネルの信号を復号して、復号データを得る。
【００２５】
Ｕバンド空き判断部１０９は、Ｕバンドを使用して送信すべきデータが発生した場合に、Ｕバンドのチャネルにおける受信エネルギーを検出し、Ｕバンドが空いているか否かを判断する。すなわち、Ｕバンド空き判断部１０９は、Ｕバンドを使用して送信すべきデータが発生した場合に、キャリアセンスを実行する。具体的には、Ｕバンド空き判断部１０９は、Ｕバンドにおける受信エネルギーが所定の閾値以上である場合には、Ｕバンドが他の装置によって使用中であると判断する。また、Ｕバンド空き判断部１０９は、Ｕバンドにおける受信エネルギーが所定の閾値未満である場合には、Ｕバンドが空いていると判断する。
【００２６】
また、Ｕバンド空き判断部１０９は、Ｕバンドが空いていると判断した後、所定期間継続して周期的にキャリアセンスを実行する。すなわち、Ｕバンド空き判断部１０９は、Ｕバンドが空いていると判断した後も、例えばＤＩＦＳ（Distributed  Inter-Frame  Space）などの所定時間と装置ごとにランダムに決定されるバックオフ時間との間、継続して周期的にキャリアセンスを実行する。
【００２７】
そして、ＤＩＦＳ及びバックオフ時間の間、Ｕバンド空き判断部１０９が継続してＵバンドが空いていると判断した場合には、Ｕバンドを使用してデータを送信すると決定し、その旨をＵバンド用マッピング部１１０へ通知する。一方、Ｕバンド空き判断部１０９は、ＤＩＦＳ及びバックオフ時間の間にＵバンドが他の装置によって使用中であると判断した場合には、Ｕバンドを使用したデータ送信を延期すると決定し、所定時間経過後に再度キャリアセンスを実行する。
【００２８】
Ｕバンド用マッピング部１１０は、Ｕバンドを使用して送信すべきデータが発生した場合に、Ｕバンドにおける下り回線のデータの割り当てを示すＵバンド用ＤＣＩを制御チャネルの構成要素となるＲＥＧ（Resource  Element  Group）にマッピングする。すなわち、Ｕバンド用マッピング部１１０は、Ｕバンド内の各サブバンドがどの端末装置宛てのデータを格納する周波数のサブバンドであるかを示すＵバンド用ＤＣＩを生成する。そして、Ｕバンド用マッピング部１１０は、Ｕバンドを使用してデータを送信する旨がＵバンド空き判断部１０９から通知されると、あらかじめＲＥＧにマッピングされたＵバンド用ＤＣＩをＥＰＤＣＣＨ生成部１１２へ出力する。一方、Ｕバンド用マッピング部１１０は、Ｕバンドを使用してデータを送信する旨がＵバンド空き判断部１０９から通知されない場合には、ＲＥＧにマッピングされたＵバンド用ＤＣＩを出力せずに一時的に保持する。
【００２９】
なお、Ｕバンド用ＤＣＩとしては、上述した下り回線のデータの割り当てを示すＤＬ（DownLink）アサインメントの他にも、端末装置に対してＵバンドを用いた上り回線の送信を許可するためのＵＬ（UpLink）グラントが含まれても良い。
【００３０】
Ｌバンド用マッピング部１１１は、Ｌバンドを使用して送信すべきデータが発生した場合に、Ｌバンドにおける下り回線のデータの割り当てを示すＬバンド用ＤＣＩをＲＥＧにマッピングする。すなわち、Ｌバンド用マッピング部１１１は、Ｌバンド内の各サブバンドがどの端末装置宛てのデータを格納する周波数のサブバンドであるかを示すＬバンド用ＤＣＩを生成する。そして、Ｌバンド用マッピング部１１１は、Ｕバンドを使用したデータの送信の有無に関わらず、ＲＥＧにマッピングされたＬバンド用ＤＣＩをＥＰＤＣＣＨ生成部１１２へ出力する。
【００３１】
ＥＰＤＣＣＨ生成部１１２は、Ｕバンド用マッピング部１１０及びＬバンド用マッピング部１１１からそれぞれ出力されるＵバンド用ＤＣＩ及びＬバンド用ＤＣＩをＬバンドのＥＰＤＣＣＨ領域内に配置する。具体的には、ＥＰＤＣＣＨ生成部１１２は、Ｕバンド用ＤＣＩ及びＬバンド用ＤＣＩがマッピングされたＲＥＧを、ＬバンドのＥＰＤＣＣＨ領域内の互いに異なる周波数のサブキャリアに割り当てる。したがって、例えばＵバンド用マッピング部１１０からＵバンド用ＤＣＩが出力されずにＬバンド用マッピング部１１１からＬバンド用ＤＣＩが出力された場合でも、ＥＰＤＣＣＨ生成部１１２は、Ｌバンド用ＤＣＩを独立にＥＰＤＣＣＨ領域内のサブキャリアに割り当てることができる。
【００３２】
そして、ＥＰＤＣＣＨ生成部１１２は、Ｌバンドのサブキャリアに割り当てられたＵバンド用ＤＣＩ及びＬバンド用ＤＣＩをＬバンドの他のサブキャリアに割り当てられたデータとともにＩＦＦＴ部１１３へ出力する。また、ＥＰＤＣＣＨ生成部１１２は、Ｕバンドのサブキャリアに割り当てられたデータをＩＦＦＴ部１１４へ出力する。
【００３３】
ＩＦＦＴ部１１３、１１４は、それぞれＬバンド及びＵバンドのサブキャリアごとのデータを逆高速フーリエ変換し、時間領域のＯＦＤＭシンボルを取得する。すなわち、ＩＦＦＴ部１１３、１１４は、各サブキャリアに割り当てられた周波数領域のデータを時間領域の信号へ変換することにより、ＯＦＤＭシンボルを取得する。なお、ＩＦＦＴ部１１３、１１４は、上記のＣＰ除去部１０３、１０４及びＦＦＴ部１０５、１０６と同様に、ＯＦＤＭ方式の無線通信が行われる場合の処理を実行する処理部であるため、ＯＦＤＭ方式以外の無線通信が行われる場合には省略可能である。
【００３４】
ＣＰ付加部１１５、１１６は、それぞれＬバンド及びＵバンドのＯＦＤＭシンボル間にＣＰを付加し、Ｌバンド及びＵバンドの送信信号を生成する。なお、ＣＰ付加部１１５、１１６も上記のＩＦＦＴ部１１３、１１４と同様に、ＯＦＤＭ方式の無線通信が行われる場合の処理を実行する処理部であるため、ＯＦＤＭ方式以外の無線通信が行われる場合には省略可能である。
【００３５】
Ｌバンド送信部１１７は、Ｌバンドの送信信号を送信する。すなわち、Ｌバンド送信部１１７は、例えば２ＧＨｚ帯などの免許が必要な周波数帯域の送信信号を送信する。
【００３６】
Ｕバンド送信部１１８は、Ｕバンドの送信信号を送信する。すなわち、Ｕバンド送信部１１８は、例えば５ＧＨｚ帯などの免許が不要な周波数帯域の送信信号を送信する。
【００３７】
次に、基地局装置１００から送信された信号を受信する端末装置の構成について説明する。図２は、実施の形態１に係る端末装置２００の構成を示すブロック図である。図２に示す端末装置２００は、Ｌバンド受信部２０１、Ｕバンド受信部２０２、ＣＰ除去部２０３、２０４、ＦＦＴ部２０５、２０６及び復号部２０７を有する。これらの処理部は、端末装置２００の受信側の処理部である。また、端末装置２００は、スケジューラ部２０８、符号化部２０９、チャネル多重部２１０、ＩＦＦＴ部２１１、２１２、ＣＰ付加部２１３、２１４、Ｌバンド送信部２１５及びＵバンド送信部２１６を有する。これらの処理部は、端末装置２００の送信側の処理部である。
【００３８】
Ｌバンド受信部２０１は、Ｌバンドの信号を受信する。すなわち、Ｌバンド受信部２０１は、例えば２ＧＨｚ帯などの免許が必要な周波数帯域の信号を受信する。
【００３９】
Ｕバンド受信部２０２は、Ｕバンドの信号を受信する。すなわち、Ｕバンド受信部２０２は、例えば５ＧＨｚ帯などの免許が不要な周波数帯域の信号を受信する。
【００４０】
ＣＰ除去部２０３、２０４は、それぞれＬバンド及びＵバンドの受信信号からＯＦＤＭシンボル間に付加されたＣＰを除去する。なお、ＣＰ除去部２０３、２０４も上記のＣＰ除去部１０３、１０４と同様に、ＯＦＤＭ方式の無線通信が行われる場合の処理を実行する処理部であるため、ＯＦＤＭ方式以外の無線通信が行われる場合には省略可能である。
【００４１】
ＦＦＴ部２０５、２０６は、それぞれＬバンド及びＵバンドの受信信号を高速フーリエ変換し、互いに直交する周波数を有する複数のサブキャリアの信号を取得する。なお、ＦＦＴ部２０５、２０６も上記のＣＰ除去部２０３、２０４と同様に、ＯＦＤＭ方式の無線通信が行われる場合の処理を実行する処理部であるため、ＯＦＤＭ方式以外の無線通信が行われる場合には省略可能である。
【００４２】
復号部２０７は、Ｌバンド及びＵバンドの複数のサブキャリアの信号を復号し、端末装置２００宛ての復号データを得る。すなわち、復号部２０７は、複数のサブキャリアの信号のうち、ＬバンドのＥＰＤＣＣＨ領域のサブキャリアに割り当てられた信号を復号し、Ｌバンド用ＤＣＩ及びＵバンド用ＤＣＩを得る。そして、復号部２０７は、Ｌバンド用ＤＣＩを参照して、Ｌバンド内のサブバンドのうち端末装置２００に割り当てられたサブバンドに含まれるサブキャリアの信号を復号する。同様に、復号部２０７は、Ｕバンド用ＤＣＩを参照して、Ｕバンド内のサブバンドのうち端末装置２００に割り当てられたサブバンドに含まれるサブキャリアの信号を復号する。
【００４３】
このとき、復号部２０７は、Ｌバンド用ＤＣＩ及びＵバンド用ＤＣＩに含まれるＤＬアサインメントを参照して、端末装置２００宛てのデータがどのサブバンドに格納されているか判断する。また、復号部２０７は、Ｕバンド用ＤＣＩにＵＬグラントが含まれている場合には、ＵＬグラントをスケジューラ部２０８へ出力する。
【００４４】
スケジューラ部２０８は、復号部２０７からＵＬグラントが出力されると、ＵＬグラントに基づいて上り回線のデータ送信が許可されるサブフレームを決定し、このサブフレームにおいてデータを送信するためのスケジューリングを実行する。具体的には、スケジューラ部２０８は、例えばＵＬグラントが受信されたサブフレームよりも所定の数だけ後のサブフレームを上り回線のデータ送信が許可されるサブフレームと決定する。
【００４５】
符号化部２０９は、スケジューラ部２０８におけるスケジューリングに従って、上り回線の送信データを符号化する。そして、符号化部２０９は、得られた符号化データをチャネル多重部２１０へ出力する。
【００４６】
チャネル多重部２１０は、符号化部２０９から出力される符号化データと例えば上り回線の回線品質測定用の参照信号とを周波数多重及び時間多重して、Ｌバンド及びＵバンドの各チャネルに割り当てる。すなわち、チャネル多重部２１０は、符号化データ及び参照信号をＬバンド及びＵバンド内の複数のサブキャリア及び複数のサブフレームに割り当てる。
【００４７】
ＩＦＦＴ部２１１、２１２は、それぞれＬバンド及びＵバンドのサブキャリアごとのデータを逆高速フーリエ変換し、時間領域のＯＦＤＭシンボルを取得する。すなわち、ＩＦＦＴ部２１１、２１２は、各サブキャリアに割り当てられた周波数領域のデータを時間領域の信号へ変換することにより、ＯＦＤＭシンボルを取得する。なお、ＩＦＦＴ部２１１、２１２は、上記のＣＰ除去部２０３、２０４及びＦＦＴ部２０５、２０６と同様に、ＯＦＤＭ方式の無線通信が行われる場合の処理を実行する処理部であるため、ＯＦＤＭ方式以外の無線通信が行われる場合には省略可能である。
【００４８】
ＣＰ付加部２１３、２１４は、それぞれＬバンド及びＵバンドのＯＦＤＭシンボル間にＣＰを付加し、Ｌバンド及びＵバンドの送信信号を生成する。なお、ＣＰ付加部２１３、２１４も上記のＩＦＦＴ部２１１、２１２と同様に、ＯＦＤＭ方式の無線通信が行われる場合の処理を実行する処理部であるため、ＯＦＤＭ方式以外の無線通信が行われる場合には省略可能である。
【００４９】
Ｌバンド送信部２１５は、Ｌバンドの送信信号を送信する。すなわち、Ｌバンド送信部２１５は、例えば２ＧＨｚ帯などの免許が必要な周波数帯域の送信信号を送信する。
【００５０】
Ｕバンド送信部２１６は、Ｕバンドの送信信号を送信する。すなわち、Ｕバンド送信部２１６は、例えば５ＧＨｚ帯などの免許が不要な周波数帯域の送信信号を送信する。
【００５１】
次いで、上記のように構成された基地局装置１００によるＤＣＩの送信処理について、図３に示すフロー図を参照して説明する。
【００５２】
基地局装置１００において、端末装置２００などの端末装置へ送信すべきデータが発生した場合、これらのデータの下り回線における割り当て位置を示すＤＬアサインメントを含むＤＣＩが生成される。具体的には、Ｌバンドを使用して送信すべきデータについては、それぞれのデータが割り当てられるＬバンド内のサブバンドを示すＬバンド用ＤＣＩがＬバンド用マッピング部１１１によってＲＥＧにマッピングされる（ステップＳ１０１）。同様に、Ｕバンドを使用して送信すべきデータについては、それぞれのデータが割り当てられるＵバンド内のサブバンドを示すＵバンド用ＤＣＩがＵバンド用マッピング部１１０によってＲＥＧにマッピングされる（ステップＳ１０２）。
【００５３】
これらのＤＣＩのマッピングは、ＤＣＩが実際に送信されるタイミングよりも前の任意のタイミングで実行されて良い。すなわち、例えば送信すべきデータが発生した場合、即座にそれぞれのＤＣＩのマッピングが実行されても良い。また、Ｌバンド用ＤＣＩ及びＵバンド用ＤＣＩが互いに独立してＲＥＧにマッピングされるため、Ｌバンドのみ又はＵバンドのみを使用してデータが送信される場合には、使用されるバンドに対応する一方のＤＣＩがＲＥＧにマッピングされても良い。以下では、Ｌバンド及びＵバンドの双方を使用してデータが送信されるものとして説明を続ける。
【００５４】
Ｕバンドを使用して送信すべきデータが発生した場合には、Ｕバンド用ＤＣＩのマッピングと並行して、Ｕバンド空き判断部１０９によってキャリアセンスが実行される。すなわち、Ｕバンド空き判断部１０９によって、Ｕバンド受信部１０２によって受信された受信信号の受信エネルギーが検出され、Ｕバンドが空いているか否かが判断される（ステップＳ１０３）。具体的には、Ｕバンドにおける受信エネルギーが所定の閾値以上である場合には、他の装置が送信中でありＵバンドが空いていないと判断され、Ｕバンドにおける受信エネルギーが所定の閾値未満の場合には、送信中の装置がなくＵバンドが空いていると判断される。
【００５５】
Ｕバンド空き判断部１０９による判断の結果、Ｕバンドが空いている場合には（ステップＳ１０３Ｙｅｓ）、Ｕバンド用マッピング部１１０によってマッピングされたＵバンド用ＤＣＩがＥＰＤＣＣＨ生成部１１２へ出力される。また、Ｌバンド用マッピング部１１１によってマッピングされたＬバンド用ＤＣＩは、Ｕバンド空き判断部１０９による判断の結果に関わらず、随時ＥＰＤＣＣＨ生成部１１２へ出力される。そして、ＥＰＤＣＣＨ生成部１１２によって、Ｕバンド用ＤＣＩ及びＬバンド用ＤＣＩがＬバンドのＥＰＤＣＣＨ領域内に配置される。具体的には、Ｕバンド用ＤＣＩ及びＬバンド用ＤＣＩがマッピングされたＲＥＧが、ＬバンドのＥＰＤＣＣＨ領域内の互いに異なる周波数のサブキャリアに割り当てられる。これにより、Ｕバンド用ＤＣＩ及びＬバンド用ＤＣＩが異なる周波数に配置されたＥＰＤＣＣＨが生成される（ステップＳ１０４）。
【００５６】
一方、Ｕバンド空き判断部１０９による判断の結果、Ｕバンドが空いていない場合には（ステップＳ１０３Ｎｏ）、Ｕバンド用マッピング部１１０によってマッピングされたＵバンド用ＤＣＩはそのまま保持される（ステップＳ１０５）。これに対して、Ｌバンド用マッピング部１１１によってマッピングされたＬバンド用ＤＣＩは、Ｕバンド空き判断部１０９による判断の結果に関わらず、随時ＥＰＤＣＣＨ生成部１１２へ出力される。そして、ＥＰＤＣＣＨ生成部１１２によって、Ｌバンド用ＤＣＩがＬバンドのＥＰＤＣＣＨ領域内に配置される。具体的には、Ｌバンド用ＤＣＩがマッピングされたＲＥＧが、ＬバンドのＥＰＤＣＣＨ領域内のサブキャリアに割り当てられる。これにより、Ｌバンド用ＤＣＩを含むＥＰＤＣＣＨが生成される（ステップＳ１０６）。
【００５７】
このように、Ｌバンド用ＤＣＩ及びＵバンド用ＤＣＩがＥＰＤＣＣＨ領域内の互いに異なる周波数に配置されるため、Ｕバンド用ＤＣＩの送信の有無に関わらず、Ｌバンド用ＤＣＩを独立してＥＰＤＣＣＨに配置することができる。また、Ｕバンドが空いていない場合でもＵバンド用ＤＣＩが保持されるため、Ｕバンドが空いた際には、保持されたＵバンド用ＤＣＩをそのままＥＰＤＣＣＨに配置することができる。結果として、Ｌバンド用ＤＣＩ及びＵバンド用ＤＣＩをあらかじめマッピングしておき、短時間でＥＰＤＣＣＨを生成することができる。
【００５８】
ＬバンドのＥＰＤＣＣＨを構成するサブキャリアに割り当てられたＬバンド用ＤＣＩ及びＵバンド用ＤＣＩは、Ｌバンド用ＤＣＩに従ってＬバンドの他のサブキャリアに割り当てられたデータとともにＩＦＦＴ部１１３へ出力される。また、Ｕバンド用ＤＣＩに従ってＵバンドの各サブキャリアに割り当てられたデータは、ＩＦＦＴ部１１４へ出力される。そして、ＩＦＦＴ部１１３、１１４によって、各サブキャリアに割り当てられたデータが逆高速フーリエ変換され（ステップＳ１０７）、それぞれＬバンド及びＵバンドのＯＦＤＭシンボルが生成される。
【００５９】
生成されたＯＦＤＭシンボルには、ＣＰ付加部１１５、１１６によってＣＰが付加され（ステップＳ１０８）、得られた送信信号がそれぞれＬバンド送信部１１７及びＵバンド送信部１１８から送信される（ステップＳ１０９）。
【００６０】
基地局装置１００から送信された信号は、端末装置２００によって受信され、復号部２０７によってＬバンドのＥＰＤＣＣＨが復号されることにより、端末装置２００宛てのデータが割り当てられたサブキャリアが把握される。すなわち、ＥＰＤＣＣＨのＬバンド用ＤＣＩからＬバンド内の端末装置２００宛てのデータの位置が把握され、ＥＰＤＣＣＨのＵバンド用ＤＣＩからＵバンド内の端末装置２００宛てのデータの位置が把握される。そして、復号部２０７によって、Ｌバンド及びＵバンドにおける端末装置２００宛てのデータが復号される。また、Ｕバンド用ＤＣＩがＵＬグラントを含む場合には、スケジューラ部２０８によって、ＵＬグラントに従った上り回線のスケジューリングが実行される。
【００６１】
次に、実施の形態１に係る無線通信システムにおけるサブフレーム構成の具体例について、図４を参照しながら説明する。図４は、Ｌバンド及びＵバンドの各周波数帯域を使用して伝送されるデータを時系列に示す図である。
【００６２】
Ｌバンドにおいては、３つの端末装置ＵＥ＃１〜＃３宛てのデータが周波数多重されたデータ３０１が基地局装置によって送信される。そして、このデータ３０１に関するＤＬアサインメント３０２がそれぞれのデータと同一のサブフレームで送信される。ＤＬアサインメント３０２は、Ｌバンド用ＤＣＩであり、例えばＥＰＤＣＣＨ領域内の周波数に配置されて送信される。端末装置ＵＥ＃１〜＃３は、ＥＰＤＣＣＨ領域内のＤＬアサインメント３０２を受信して復号することにより、それぞれ自装置宛てのデータがＬバンド内のどのサブバンドに割り当てられているか把握することができる。
【００６３】
また、ＬバンドのＥＰＤＣＣＨ領域内のＤＬアサインメント３０２が配置される周波数とは異なる周波数には、Ｕバンド用ＤＣＩが配置されて送信される。すなわち、Ｕバンドに関するＤＬアサインメント３０３とＵＬグラント３０４がＥＰＤＣＣＨ領域内の周波数に配置される。端末装置ＵＥ＃１〜＃３は、ＥＰＤＣＣＨ領域内のＤＬアサインメント３０３を受信して復号することにより、それぞれ自装置宛てのデータがＵバンド内のどのサブバンドに割り当てられているか把握することができる。また、端末装置ＵＥ＃１〜＃３は、ＥＰＤＣＣＨ領域内のＵＬグラント３０４を受信して復号することにより、Ｕバンドを使用した上り回線のデータ送信の許可の有無を把握することができる。
【００６４】
このように、ＬバンドのＥＰＤＣＣＨ領域内においては、Ｌバンド用ＤＣＩ３０２とＵバンド用ＤＣＩ３０３、３０４とが互いに異なる周波数に配置されて送信される。このため、基地局装置は、Ｌバンド用ＤＣＩ３０２及びＵバンド用ＤＣＩ３０３、３０４をあらかじめマッピングしておき、キャリアセンスの結果に応じて、Ｌバンド用ＤＣＩ３０２のみを送信したり両バンドのＤＣＩを送信したりすることができる。
【００６５】
一方、Ｕバンドにおいては、例えば無線ＬＡＮによるデータ３５１の伝送によってＵバンドの周波数帯域が占有されることがある。この状態で基地局装置からＵバンドを使用して送信すべきデータが発生すると、基地局装置は、周期的にＵバンドにおける受信エネルギーを検出し、Ｕバンドが空いているか否かを判断する。そして、無線ＬＡＮによるデータ３５１の伝送が終了してＵバンドが空いた場合には、所定のＤＩＦＳの間も周期的なキャリアセンスを継続し、さらに基地局装置ごとにランダムに決定されるバックオフ時間の間もキャリアセンスを継続する。この結果、Ｕバンドが空いていた場合には、基地局装置は、次のサブフレームの先頭までダミー信号３５２を送信する。ダミー信号３５２は、Ｕバンドの周波数帯域を占有する信号であり、Ｕバンドの使用を予約するために送信される。すなわち、他の装置がキャリアセンスを実行した結果、Ｕバンドが空いていると判断されることを防止するために、Ｕバンドにおいてダミー信号３５２が送信される。
【００６６】
そして、ダミー信号３５２が送信された次のサブフレームからは、端末装置ＵＥ＃１〜＃３宛てのデータが周波数多重されたデータ３５３が基地局装置によって送信される。このデータ３５３に関するＤＬアサインメント３０３は、上述したように、ＬバンドのＥＰＤＣＣＨを使用して、それぞれのデータと同一のサブフレームで送信される。また、下りのデータ３５３が伝送されるサブフレームの後には、スペシャルサブフレーム３５４が設けられ、スペシャルサブフレーム３５４の後のサブフレームにおいて上りのデータ３５５が伝送される。上りのデータ３５５は、端末装置ＵＥ＃１〜＃３がＬバンドのＥＰＤＣＣＨを使用して送信されたＵＬグラント３０４を用いてスケジューリングを実行し、このスケジューリングに従って伝送される。
【００６７】
以上のように、本実施の形態によれば、Ｌバンド用ＤＣＩとＵバンド用ＤＣＩがＬバンドのＥＰＤＣＣＨ領域内の異なる周波数に配置されて送信される。このため、キャリアセンスの結果、たとえＵバンドを使用したデータの送信が延期された場合でも、あらかじめマッピングされたＬバンド用ＤＣＩをＵバンド用ＤＣＩとは独立に送信することができる。また、あらかじめマッピングされたＵバンド用ＤＣＩを一時的に保持し、キャリアセンスの結果、Ｕバンドを使用したデータの送信が実行される場合に、保持されたＵバンド用ＤＣＩを送信することができる。したがって、免許が必要な周波数帯域及び免許が不要な周波数帯域を使用して通信を行う場合に制御情報を効率的に送信することができる。
【００６８】
なお、上記実施の形態１では、Ｌバンド用ＤＣＩ及びＵバンド用ＤＣＩがＬバンドのＥＰＤＣＣＨ領域内の異なる周波数に配置される例を示したが、異なる領域に配置されていれば同様の効果を得ることができる。
【００６９】
（実施の形態２）
実施の形態２の特徴は、Ｕバンドにおける下り回線のデータの割り当てを示すＤＬアサインメントとＵバンドにおける上り回線のデータの送信許可を示すＵＬグラントとを異なる周波数に配置する点である。
【００７０】
実施の形態２に係る基地局装置及び端末装置の構成は、実施の形態１に係る基地局装置１００及び端末装置２００と同様であるため、その説明を省略する。実施の形態２においては、基地局装置１００のＥＰＤＣＣＨ生成部１１２の動作が実施の形態１とは異なる。
【００７１】
ＥＰＤＣＣＨ生成部１１２は、Ｕバンド用マッピング部１１０及びＬバンド用マッピング部１１１からそれぞれ出力されるＵバンド用ＤＣＩ及びＬバンド用ＤＣＩをＬバンドのＥＰＤＣＣＨ領域内に配置する。このとき、ＥＰＤＣＣＨ生成部１１２は、Ｕバンド用ＤＣＩ及びＬバンド用ＤＣＩがマッピングされたＲＥＧを、ＬバンドのＥＰＤＣＣＨ領域内の互いに異なる周波数のサブキャリアに割り当てる。さらに、ＥＰＤＣＣＨ生成部１１２は、Ｕバンド用ＤＣＩのうちＤＬアサインメントとＵＬグラントとがマッピングされたＲＥＧを、ＬバンドのＥＰＤＣＣＨ領域内の互いに異なる周波数のサブキャリアに割り当てる。
【００７２】
すなわち、実施の形態２においては、Ｌバンド用ＤＣＩとＵバンド用のＤＬアサインメントとＵバンド用のＵＬグラントとがそれぞれ互いに異なる周波数に配置される。したがって、例えばＵバンド用マッピング部１１０からＵバンド用のＵＬグラントが出力されずにＵバンド用のＤＬアサインメントが出力された場合でも、ＥＰＤＣＣＨ生成部１１２は、Ｌバンド用ＤＣＩ及びＵバンド用のＤＬアサインメントをＥＰＤＣＣＨ領域内のサブキャリアに割り当てることができる。
【００７３】
次に、実施の形態２に係る無線通信システムにおけるサブフレーム構成の具体例について、図５を参照しながら説明する。図５は、Ｌバンド及びＵバンドの各周波数帯域を使用して伝送されるデータを時系列に示す図である。図５において、図４と同じ部分には同じ符号を付し、その詳しい説明を省略する。
【００７４】
Ｌバンドにおいては、実施の形態１と同様に、３つの端末装置ＵＥ＃１〜＃３宛てのデータが周波数多重されたデータ３０１とデータ３０１に関するＤＬアサインメント３０２とが送信される。また、ＬバンドのＥＰＤＣＣＨ領域内のＤＬアサインメント３０２が配置される周波数とは異なる周波数には、Ｕバンド用のＤＬアサインメント４０１とＵＬグラント４０２が配置されて送信される。すなわち、ＤＬアサインメント４０１とＵＬグラント４０２は、ＥＰＤＣＣＨ領域内の互いに異なる周波数に配置される。端末装置ＵＥ＃１〜＃３は、ＥＰＤＣＣＨ領域内のＤＬアサインメント４０１を受信して復号することにより、それぞれ自装置宛てのデータがＵバンド内のどのサブバンドに割り当てられているか把握することができる。また、端末装置ＵＥ＃１〜＃３は、ＥＰＤＣＣＨ領域内のＵＬグラント４０２を受信して復号することにより、Ｕバンドを使用した上り回線のデータ送信の許可の有無を把握することができる。
【００７５】
このように、ＬバンドのＥＰＤＣＣＨ領域内においては、Ｌバンド用ＤＣＩ３０２、Ｕバンド用のＤＬアサインメント４０１及びＵバンド用のＵＬグラント４０２が互いに異なる周波数に配置されて送信される。このため、基地局装置は、Ｌバンド用ＤＣＩ３０２、Ｕバンド用のＤＬアサインメント４０１及びＵバンド用のＵＬグラント４０２をあらかじめマッピングしておき、キャリアセンスの結果に応じて、Ｌバンド用ＤＣＩ３０２のみを送信したり両バンドのＤＣＩを送信したりすることができる。さらに、例えばＵバンドにおいて下り回線のデータが送信されるもののＵバンドにおける上り回線のデータ送信が許可されない場合には、基地局装置は、Ｕバンド用ＤＣＩのうちＤＬアサインメント４０１のみを送信することもできる。そして、基地局装置は、あらかじめマッピングされたＵＬグラント４０２を一時的に保持し、Ｕバンドにおける上り回線のデータ送信が許可された場合に、保持されたＵＬグラント４０２を送信することができる。
【００７６】
以上のように、本実施の形態によれば、Ｌバンド用ＤＣＩとＵバンド用ＤＣＩがＬバンドのＥＰＤＣＣＨ領域内の異なる周波数に配置されて送信される。また、Ｕバンド用ＤＣＩのうちＤＬアサインメントとＵＬグラントもＬバンドのＥＰＤＣＣＨ領域内の異なる周波数に配置されて送信される。このため、キャリアセンスの結果、例えばＵバンドを使用した下り回線のデータ送信が実行される一方上り回線のデータ送信が実行されない場合でも、あらかじめマッピングされたＤＬアサインメントをＵＬグラントとは独立に送信することができる。また、あらかじめマッピングされたＵＬグラントを一時的に保持し、キャリアセンスの結果、Ｕバンドを使用した上り回線のデータ送信が実行される場合に、保持されたＵＬグラントを送信することができる。したがって、免許が必要な周波数帯域及び免許が不要な周波数帯域を使用して通信を行う場合に制御情報を効率的に送信することができる。
【００７７】
なお、上記実施の形態２では、Ｌバンド用ＤＣＩとＵバンド用ＤＣＩに含まれるＤＬアサインメント及びＵＬグラントとがＬバンドのＥＰＤＣＣＨ領域内の異なる周波数に配置される例を示したが、異なる領域に配置されていれば同様の効果を得ることができる。
【００７８】
（実施の形態３）
実施の形態３の特徴は、Ｕバンドにおける上り回線のデータの送信許可を示すＵＬグラントをＵバンドに配置する点である。
【００７９】
実施の形態３に係る基地局装置及び端末装置の構成は、実施の形態１に係る基地局装置１００及び端末装置２００と同様であるため、その説明を省略する。実施の形態３においては、基地局装置１００のＥＰＤＣＣＨ生成部１１２の動作が実施の形態１とは異なる。
【００８０】
ＥＰＤＣＣＨ生成部１１２は、Ｕバンド用マッピング部１１０及びＬバンド用マッピング部１１１からそれぞれ出力されるＵバンド用ＤＣＩ及びＬバンド用ＤＣＩを、ＬバンドのＥＰＤＣＣＨ領域内及びＵバンドの所定の制御チャネル領域内に配置する。このとき、ＥＰＤＣＣＨ生成部１１２は、Ｕバンド用ＤＣＩのうちＤＬアサインメントがマッピングされたＲＥＧとＬバンド用ＤＣＩがマッピングされたＲＥＧとを、ＬバンドのＥＰＤＣＣＨ領域内の互いに異なる周波数のサブキャリアに割り当てる。また、ＥＰＤＣＣＨ生成部１１２は、Ｕバンド用ＤＣＩのうちＵＬグラントがマッピングされたＲＥＧを、Ｕバンドの所定の制御チャネル領域内のサブキャリアに割り当てる。
【００８１】
すなわち、実施の形態３においては、Ｌバンド用ＤＣＩとＵバンド用のＤＬアサインメントとＵバンド用のＵＬグラントとがそれぞれ互いに異なる周波数に配置される。このとき、Ｕバンド用のＵＬグラントは、ＬバンドのＥＰＤＣＣＨ領域内の周波数ではなく、Ｕバンドの所定の制御チャネル領域内の周波数に配置される。したがって、免許が必要なＬバンドのＥＰＤＣＣＨにおいて使用されるリソースを削減し、オーバヘッドを低減することができる。
【００８２】
次に、実施の形態３に係る無線通信システムにおけるサブフレーム構成の具体例について、図６を参照しながら説明する。図６は、Ｌバンド及びＵバンドの各周波数帯域を使用して伝送されるデータを時系列に示す図である。図６において、図４、５と同じ部分には同じ符号を付し、その詳しい説明を省略する。
【００８３】
Ｌバンドにおいては、実施の形態１と同様に、３つの端末装置ＵＥ＃１〜＃３宛てのデータが周波数多重されたデータ３０１とデータ３０１に関するＤＬアサインメント３０２とが送信される。また、ＬバンドのＥＰＤＣＣＨ領域内のＤＬアサインメント３０２が配置される周波数とは異なる周波数には、Ｕバンド用のＤＬアサインメント４０１が配置されて送信される。さらに、Ｕバンドの所定の制御チャネル領域内の周波数には、Ｕバンド用のＵＬグラント５０１が配置されて送信される。すなわち、ＵＬグラント５０１は、ＬバンドのＥＰＤＣＣＨ領域内ではなく、Ｕバンドに配置される。端末装置ＵＥ＃１〜＃３は、ＥＰＤＣＣＨ領域内のＤＬアサインメント４０１を受信して復号することにより、それぞれ自装置宛てのデータがＵバンド内のどのサブバンドに割り当てられているか把握することができる。また、端末装置ＵＥ＃１〜＃３は、Ｕバンドの所定の制御チャネル領域内のＵＬグラント５０１を受信して復号することにより、Ｕバンドを使用した上り回線のデータ送信の許可の有無を把握することができる。
【００８４】
このように、ＬバンドのＥＰＤＣＣＨ領域内においては、Ｌバンド用ＤＣＩ３０２及びＵバンド用のＤＬアサインメント４０１が互いに異なる周波数に配置されて送信され、Ｕバンドの所定の制御チャネル領域内においては、Ｕバンド用のＵＬグラント５０１が配置されて送信される。このため、基地局装置は、Ｌバンド用ＤＣＩ３０２、Ｕバンド用のＤＬアサインメント４０１及びＵバンド用のＵＬグラント５０１をあらかじめマッピングしておき、キャリアセンスの結果に応じて、Ｌバンド用ＤＣＩ３０２のみを送信したり両バンドのＤＣＩを送信したりすることができる。さらに、例えばＵバンドにおいて下り回線のデータが送信されるもののＵバンドにおける上り回線のデータ送信が許可されない場合には、基地局装置は、Ｕバンド用ＤＣＩのうちＤＬアサインメント４０１のみを送信することもできる。そして、基地局装置は、あらかじめマッピングされたＵＬグラント５０１を一時的に保持し、Ｕバンドにおける上り回線のデータ送信が許可された場合に、保持されたＵＬグラント５０１をＵバンドを使用して送信することができる。
【００８５】
以上のように、本実施の形態によれば、Ｌバンド用ＤＣＩとＵバンド用ＤＣＩがＬバンドのＥＰＤＣＣＨ領域内及びＵバンドの所定の制御チャネル領域内の異なる周波数に配置されて送信される。また、Ｕバンド用ＤＣＩのうちＵＬグラントは、Ｕバンドの所定の制御チャネル領域内に配置されて送信される。このため、ＬバンドのＥＰＤＣＣＨ領域内に配置されるＤＣＩを削減し、ＥＰＤＣＣＨにおけるオーバヘッドを低減することができる。
【００８６】
なお、上記実施の形態３では、Ｌバンド用ＤＣＩとＵバンド用ＤＣＩに含まれるＤＬアサインメントとがＬバンドのＥＰＤＣＣＨ領域内の異なる周波数に配置される例を示したが、異なる領域に配置されていれば同様の効果を得ることができる。
【００８７】
（実施の形態４）
実施の形態４の特徴は、Ｕバンドにおける下り回線のデータの割り当てを示すＤＬアサインメントとＵバンドにおける上り回線のデータの送信許可を示すＵＬグラントとをＵバンド内の異なる周波数に配置する点である。
【００８８】
実施の形態４に係る基地局装置及び端末装置の構成は、実施の形態１に係る基地局装置１００及び端末装置２００と同様であるため、その説明を省略する。実施の形態４においては、基地局装置１００のＥＰＤＣＣＨ生成部１１２の動作が実施の形態１とは異なる。
【００８９】
ＥＰＤＣＣＨ生成部１１２は、Ｕバンド用マッピング部１１０及びＬバンド用マッピング部１１１からそれぞれ出力されるＵバンド用ＤＣＩ及びＬバンド用ＤＣＩを、ＬバンドのＥＰＤＣＣＨ領域内及びＵバンドの所定の制御チャネル領域内に配置する。このとき、ＥＰＤＣＣＨ生成部１１２は、Ｌバンド用ＤＣＩがマッピングされたＲＥＧをＬバンドのＥＰＤＣＣＨ領域内のサブキャリアに割り当てる。また、ＥＰＤＣＣＨ生成部１１２は、Ｕバンド用ＤＣＩがマッピングされたＲＥＧを、Ｕバンドの所定の制御チャネル領域内の互いに異なる周波数のサブキャリアに割り当てる。すなわち、ＥＰＤＣＣＨ生成部１１２は、ＵバンドにおけるＤＬアサインメント及びＵＬグラントをＵバンドの所定の制御チャネル領域内の互いに異なる周波数に配置する。
【００９０】
実施の形態４においては、Ｌバンド用ＤＣＩがＬバンドに配置される一方、Ｕバンド用ＤＣＩがＵバンドに配置される。このとき、Ｕバンド用ＤＣＩに含まれるＤＬアサインメントとＵＬグラントが所定の制御チャネル領域内の互いに異なる周波数に配置される。したがって、免許が必要なＬバンドのＥＰＤＣＣＨにおいて使用されるリソースを削減し、オーバヘッドを低減することができる。
【００９１】
次に、実施の形態４に係る無線通信システムにおけるサブフレーム構成の具体例について、図７を参照しながら説明する。図７は、Ｌバンド及びＵバンドの各周波数帯域を使用して伝送されるデータを時系列に示す図である。図７において、図４と同じ部分には同じ符号を付し、その詳しい説明を省略する。
【００９２】
Ｌバンドにおいては、実施の形態１と同様に、３つの端末装置ＵＥ＃１〜＃３宛てのデータが周波数多重されたデータ３０１とデータ３０１に関するＤＬアサインメント３０２とが送信される。ＤＬアサインメント３０２は、ＬバンドのＥＰＤＣＣＨ領域内に配置されて送信される。
【００９３】
一方、Ｕバンドの所定の制御チャネル領域内の周波数には、Ｕバンド用ＤＣＩが配置されて送信される。具体的には、Ｕバンド用のＤＬアサインメント６０１とＵＬグラント６０２が、Ｕバンドの所定の制御チャネル領域内の互いに異なる周波数に配置されて送信される。すなわち、ＤＬアサインメント６０１及びＵＬグラント６０２は、ＬバンドのＥＰＤＣＣＨ領域内ではなく、Ｕバンドに配置される。端末装置ＵＥ＃１〜＃３は、Ｕバンドの所定の制御チャネル領域内のＤＬアサインメント６０１を受信して復号することにより、それぞれ自装置宛てのデータがＵバンド内のどのサブバンドに割り当てられているか把握することができる。また、端末装置ＵＥ＃１〜＃３は、Ｕバンドの所定の制御チャネル領域内のＵＬグラント６０２を受信して復号することにより、Ｕバンドを使用した上り回線のデータ送信の許可の有無を把握することができる。
【００９４】
このように、ＬバンドのＥＰＤＣＣＨ領域内においては、Ｌバンド用ＤＣＩ３０２が配置されて送信され、Ｕバンドの所定の制御チャネル領域内においては、Ｕバンド用のＤＬアサインメント６０１及びＵＬグラント６０２が互いに異なる周波数に配置されて送信される。このため、基地局装置は、Ｌバンド用ＤＣＩ３０２、Ｕバンド用のＤＬアサインメント６０１及びＵバンド用のＵＬグラント６０２をあらかじめマッピングしておき、キャリアセンスの結果に応じて、Ｌバンド用ＤＣＩ３０２のみを送信したり両バンドのＤＣＩを送信したりすることができる。さらに、例えばＵバンドにおいて下り回線のデータが送信されるもののＵバンドにおける上り回線のデータ送信が許可されない場合には、基地局装置は、Ｕバンド用ＤＣＩのうちＤＬアサインメント６０１のみを送信することもできる。そして、基地局装置は、あらかじめマッピングされたＵＬグラント６０２を一時的に保持し、Ｕバンドにおける上り回線のデータ送信が許可された場合に、保持されたＵＬグラント６０２をＵバンドを使用して送信することができる。
【００９５】
以上のように、本実施の形態によれば、Ｌバンド用ＤＣＩとＵバンド用ＤＣＩがＬバンドのＥＰＤＣＣＨ領域内及びＵバンドの所定の制御チャネル領域内の異なる周波数に配置されて送信される。また、Ｕバンド用ＤＣＩに含まれるＤＬアサインメント及びＵＬグラントが、Ｕバンドの所定の制御チャネル領域内の互いに異なる周波数に配置されて送信される。このため、ＬバンドのＥＰＤＣＣＨ領域内に配置されるＤＣＩを削減し、ＥＰＤＣＣＨにおけるオーバヘッドを低減することができる。
【００９６】
なお、上記実施の形態４では、Ｕバンド用ＤＣＩに含まれるＤＬアサインメントとＵＬグラントとがＵバンドの所定の制御チャネル領域内の異なる周波数に配置される例を示したが、異なる領域に配置されていれば同様の効果を得ることができる。
【００９７】
（実施の形態５）
実施の形態５の特徴は、Ｕバンドにおける下り回線のデータの割り当てを示すＤＬアサインメントとＵバンドにおける上り回線のデータの送信許可を示すＵＬグラントとをＵバンド内の同一の周波数に配置する点である。
【００９８】
実施の形態５に係る基地局装置及び端末装置の構成は、実施の形態１に係る基地局装置１００及び端末装置２００と同様であるため、その説明を省略する。実施の形態５においては、基地局装置１００のＥＰＤＣＣＨ生成部１１２の動作が実施の形態１とは異なる。
【００９９】
ＥＰＤＣＣＨ生成部１１２は、Ｕバンド用マッピング部１１０及びＬバンド用マッピング部１１１からそれぞれ出力されるＵバンド用ＤＣＩ及びＬバンド用ＤＣＩを、ＬバンドのＥＰＤＣＣＨ領域内及びＵバンドの所定の制御チャネル領域内に配置する。このとき、ＥＰＤＣＣＨ生成部１１２は、Ｌバンド用ＤＣＩがマッピングされたＲＥＧをＬバンドのＥＰＤＣＣＨ領域内のサブキャリアに割り当てる。また、ＥＰＤＣＣＨ生成部１１２は、Ｕバンド用ＤＣＩがマッピングされたＲＥＧを、Ｕバンドの所定の制御チャネル領域内のサブキャリアに割り当てる。すなわち、ＥＰＤＣＣＨ生成部１１２は、ＵバンドにおけるＤＬアサインメント及びＵＬグラントを時間多重して、Ｕバンドの所定の制御チャネル領域内の同一の周波数に配置する。
【０１００】
実施の形態５においては、Ｌバンド用ＤＣＩがＬバンドに配置される一方、Ｕバンド用ＤＣＩがＵバンドに配置される。このとき、Ｕバンド用ＤＣＩに含まれるＤＬアサインメントとＵＬグラントが時間多重され、所定の制御チャネル領域内の同一の周波数に配置される。したがって、免許が必要なＬバンドのＥＰＤＣＣＨにおいて使用されるリソースを削減し、オーバヘッドを低減することができる。また、端末装置は、Ｕバンドの所定の制御チャネル領域内の１つの周波数におけるＵバンド用ＤＣＩを復号することで、下り回線のデータの割り当て位置と上り回線の送信許可の有無とを把握することができる。
【０１０１】
次に、実施の形態５に係る無線通信システムにおけるサブフレーム構成の具体例について、図８を参照しながら説明する。図８は、Ｌバンド及びＵバンドの各周波数帯域を使用して伝送されるデータを時系列に示す図である。図８において、図４と同じ部分には同じ符号を付し、その詳しい説明を省略する。
【０１０２】
Ｌバンドにおいては、実施の形態１と同様に、３つの端末装置ＵＥ＃１〜＃３宛てのデータが周波数多重されたデータ３０１とデータ３０１に関するＤＬアサインメント３０２とが送信される。ＤＬアサインメント３０２は、ＬバンドのＥＰＤＣＣＨ領域内に配置されて送信される。
【０１０３】
一方、Ｕバンドの所定の制御チャネル領域内の周波数には、Ｕバンド用ＤＣＩが配置されて送信される。具体的には、Ｕバンド用のＤＬアサインメント７０１とＵＬグラント７０２が時間多重され、Ｕバンドの所定の制御チャネル領域内の同一の周波数に配置されて送信される。すなわち、ＤＬアサインメント７０１及びＵＬグラント７０２は、ＬバンドのＥＰＤＣＣＨ領域内ではなく、Ｕバンドに配置される。端末装置ＵＥ＃１〜＃３は、Ｕバンドの所定の制御チャネル領域内のＤＬアサインメント７０１を受信して復号することにより、それぞれ自装置宛てのデータがＵバンド内のどのサブバンドに割り当てられているか把握することができる。また、端末装置ＵＥ＃１〜＃３は、Ｕバンドの所定の制御チャネル領域内のＵＬグラント７０２を受信して復号することにより、Ｕバンドを使用した上り回線のデータ送信の許可の有無を把握することができる。
【０１０４】
このように、ＬバンドのＥＰＤＣＣＨ領域内においては、Ｌバンド用ＤＣＩ３０２が配置されて送信され、Ｕバンドの所定の制御チャネル領域内においては、Ｕバンド用のＤＬアサインメント７０１及びＵＬグラント７０２が同一の周波数に配置されて送信される。このため、基地局装置は、Ｌバンド用ＤＣＩ３０２、Ｕバンド用のＤＬアサインメント７０１及びＵバンド用のＵＬグラント７０２をあらかじめマッピングしておき、キャリアセンスの結果に応じて、Ｌバンド用ＤＣＩ３０２のみを送信したり両バンドのＤＣＩを送信したりすることができる。すなわち、例えばキャリアセンスの結果Ｕバンドが空いていない場合には、基地局装置は、Ｌバンド用ＤＣＩ３０２のみを送信することができる。そして、基地局装置は、あらかじめマッピングされたＵバンド用のＤＬアサインメント７０１及びＵＬグラント７０２を一時的に保持し、Ｕバンドが空いた場合に、保持されたＤＬアサインメント７０１及びＵＬグラント７０２をＵバンドを使用して送信することができる。
【０１０５】
以上のように、本実施の形態によれば、Ｌバンド用ＤＣＩとＵバンド用ＤＣＩがＬバンドのＥＰＤＣＣＨ領域内及びＵバンドの所定の制御チャネル領域内の異なる周波数に配置されて送信される。また、Ｕバンド用ＤＣＩに含まれるＤＬアサインメント及びＵＬグラントが、Ｕバンドの所定の制御チャネル領域内の同一の周波数に配置されて送信される。このため、ＬバンドのＥＰＤＣＣＨ領域内に配置されるＤＣＩを削減し、ＥＰＤＣＣＨにおけるオーバヘッドを低減することができる。また、端末装置は、Ｕバンドの１つの周波数からＤＬアサインメント及びＵＬグラントを復号することができる。
【０１０６】
なお、上記実施の形態５では、Ｕバンド用ＤＣＩに含まれるＤＬアサインメントとＵＬグラントとがＵバンドの所定の制御チャネル領域内の同一の周波数に配置される例を示したが、同一の領域に配置されていれば同様の効果を得ることができる。
【０１０７】
上記各実施の形態において説明したＤＣＩの送信処理は、例えば図９に示すハードウェア構成を有する基地局装置８００が実行することができる。図９に示す基地局装置８００は、無線部８０１、ベースバンドプロセッサ（以下「ＢＢプロセッサ」と略記する）８０２、アプリケーションプロセッサ（以下「ＡＰプロセッサ」と略記する）８０３及びメモリ８０４を有する。
【０１０８】
無線部８０１は、アンテナを介してＤＣＩを含む無線信号を送信する。また、無線部８０１は、アンテナを介して無線信号を受信する。そして、無線部８０１は、所定の無線送信処理を実行したり、所定の無線受信処理を実行したりする。無線部８０１は、例えば図１に示した基地局装置１００のＬバンド受信部１０１、Ｕバンド受信部１０２、Ｌバンド送信部１１７及びＵバンド送信部１１８に対応する。
【０１０９】
ＢＢプロセッサ８０２は、送受信される信号に対するベースバンド処理を実行する。すなわち、ＢＢプロセッサ８０２は、例えば信号の変復調や符号化・復号を実行する。ＢＢプロセッサ８０２は、例えば図１に示した基地局装置１００のＣＰ除去部１０３、１０４、ＦＦＴ部１０５、１０６、チャネル分離部１０７、復号部１０８、Ｕバンド空き判断部１０９、Ｕバンド用マッピング部１１０、Ｌバンド用マッピング部１１１、ＥＰＤＣＣＨ生成部１１２、ＩＦＦＴ部１１３、１１４及びＣＰ付加部１１５、１１６に対応する。
【０１１０】
ＡＰプロセッサ８０３は、アプリケーションの処理を実行する。すなわち、ＡＰプロセッサ８０３は、ＢＢプロセッサ８０２において得られる復号データを用いた処理を実行したり、ＤＣＩの内容を決定する処理を実行したりする。メモリ８０４は、ＡＰプロセッサ８０３が処理を実行する際に使用されるデータなどを記憶する。
【符号の説明】
【０１１１】
１０１、２０１  Ｌバンド受信部
１０２、２０２  Ｕバンド受信部
１０３、１０４、２０３、２０４  ＣＰ除去部
１０５、１０６、２０５、２０６  ＦＦＴ部
１０７  チャネル分離部
１０８、２０７  復号部
１０９  Ｕバンド空き判断部
１１０  Ｕバンド用マッピング部
１１１  Ｌバンド用マッピング部
１１２  ＥＰＤＣＣＨ生成部
１１３、１１４、２１１、２１２  ＩＦＦＴ部
１１５、１１６、２１３、２１４  ＣＰ付加部
１１７、２１５  Ｌバンド送信部
１１８、２１６  Ｕバンド送信部
２０８  スケジューラ部
２０９  符号化部
２１０  チャネル多重部
【図１】
0006455521.tif 000002
【図２】
0006455521.tif 000003
【図３】
0006455521.tif 000004
【図４】
0006455521.tif 000005
【図５】
0006455521.tif 000006
【図６】
0006455521.tif 000007
【図７】
0006455521.tif 000008
【図８】
0006455521.tif 000009
【図９】
0006455521.tif 000010